(57)【要約】【課題】小さな箱を組み合わせて形成される弁当箱において、各箱同士を横方向のみならず縦方向にも、蓋部分を避けて係合できるようにすることを課題とする。【解決手段】弁当箱として、外形が直方体形状の上方に開口が形成される箱体からなる本体部と、少なくとも前記本体部の上縁が一部が表出するように、前記本体部の前記開口に嵌って塞ぐ蓋体と、側面同士を係合させる側面係合部及び側面被係合部と、前記本体部の前記蓋体が嵌った状態で表出する上縁に形成される上面係合部と、前記本体部の下面に設けられる、前記上面と重なるように向かい合ったと想定した場合に、前記上面係合部に係合する上面被係合部とを設ける。【選択図】  図１
2015003014.tif 000002
【特許請求の範囲】
【請求項１】
外形が直方体形状の上方に開口が形成される箱体からなる本体部と、
少なくとも前記本体部の上縁の一部が表出するように、前記本体部の前記開口に嵌って塞ぐ蓋体と、
前記本体部の第一の側面に形成される第一側面係合部と、
前記本体部の前記第一の側面以外の前記第一の側面と同一形状の側面に形成される、前記第一側面に重なるように向かい合ったと想定した場合に、前記第一側面係合部に係合する第一側面被係合部と、
前記本体部の前記第一側面係合部及び前記第一側面被係合部が設けられていない側面である第二の側面に形成される第二側面係合部と、
前記本体部の前記第一側面係合部、前記第一側面被係合部及び前記第二側面係合部が設けられていない前記第二の側面と同一形状の側面に形成される、前記第二側面に重なるように向かい合ったと想定した場合に、前記第二側面係合部に係合する第二側面被係合部と、
前記本体部の前記蓋体が嵌った状態で表出する上縁に形成される上面係合部と、
前記本体部の下面に設けられる、前記上面と重なるように向かい合ったと想定した場合に、前記上面係合部に係合する上面被係合部と
を有する弁当箱
【請求項２】
前記本体部は上下面が底面となる正四角柱状である請求項１に記載の弁当箱。
【請求項３】
前記上面係合部と前記上面被係合部とは、上面に垂直な方向への移動により互いに係脱可能に形成される請求項１又は２に記載の弁当箱。
【請求項４】
請求項１から３のいずれか１項に記載の弁当箱を２以上組み合わせてなる弁当箱。
【発明の詳細な説明】
【技術分野】
【０００１】
本発明は弁当箱に関し、特に、複数の箱を組み合わせることができるものに関する。
【背景技術】
【０００２】
通常、弁当箱は外形が定まっており、内容量も一定である。したがって、弁当箱を入れるかばんの形も弁当箱が入るものに拘束され、さらに、内容量を適宜調節することも難しい。これに対して、下記特許文献１の［図２］乃至［図９］に記載されている弁当箱は、小さな直方体状の弁当箱同士を側面で互いに着脱できるように形成されているので、かばんの形に合わせて弁当箱全体の形状を変えることができ、また、組み合わせる数を変えることで内容量を調節することも可能である。
【先行技術文献】
【特許文献】
【０００３】
【特許文献１】特開2006-326265号公報
【特許文献２】実開昭63-126221号公報
【特許文献３】特開2004-155466号公報
【発明の概要】
【発明が解決しようとする課題】
【０００４】
ところで、かばんは厚さが薄いものも多いので縦に弁当箱を重ねたい場合があるが、上記特許文献１に記載の発明では、縦に重ねて固定することはできない。これを解決する方法として、上記特許文献１に記載の発明のように各弁当箱の上蓋と底面とを係合できるようにすることが考えられるが、容易に蓋は開けることが要求されるものであり、蓋と底とを係合させた場合、蓋ごと分離する可能性がある。しかしながら、通常の弁当箱は蓋が上面の外縁をすべて覆っているので、重ねた場合に、底面は蓋以外の部分に係合させることは困難である。
本発明は、以上のような問題に鑑みて、小さな箱を組み合わせて形成される弁当箱において、各箱同士を横方向のみならず縦方向にも、蓋部分を避けて互いに係合できるようにすることを課題とする。
【課題を解決するための手段】
【０００５】
上記課題を解決するために、本発明は次のような構成を有する。
請求項１に記載の発明は、外形が直方体形状の上方に開口が形成される箱体からなる本体部と、少なくとも前記本体部の上縁の一部が表出するように、前記本体部の前記開口に嵌って塞ぐ蓋体と、前記本体部の第一の側面に形成される第一側面係合部と、前記本体部の前記第一の側面以外の前記第一の側面と同一形状の側面に形成される、前記第一側面に重なるように向かい合ったと想定した場合に、前記第一側面係合部に係合する第一側面被係合部と、前記本体部の前記第一側面係合部及び前記第一側面被係合部が設けられていない側面である第二の側面に形成される第二側面係合部と、前記本体部の前記第一側面係合部、前記第一側面被係合部及び前記第二側面係合部が設けられていない前記第二の側面と同一形状の側面に形成される、前記第二側面に重なるように向かい合ったと想定した場合に、前記第二側面係合部に係合する第二側面被係合部と、前記本体部の前記蓋体が嵌った状態で表出する上縁に形成される上面係合部と、前記本体部の下面に設けられる、前記上面と重なるように向かい合ったと想定した場合に、前記上面係合部に係合する上面被係合部とを有する弁当箱である。
【０００６】
請求項２に記載の発明は、前記弁当箱において、前記本体部は上下面が底面となる正四角柱状としたものである。
請求項３に記載の発明は、前記弁当箱において、前記上面係合部と前記被上面係合部とは、上面に垂直な方向への移動により互いに係脱可能に形成されるものである。
請求項４に記載の発明は、前記弁当箱を２以上組み合わせてなる弁当箱である。
【発明の効果】
【０００７】
請求項１に記載の弁当箱は、２以上組み合わせて使用するものであり、互いに隣接する弁当箱同士に関して、一方の第一側面係合部と他方の第一側面被係合部、一方の第二側面係合部と他方の第ニ側面被係合部、一方の上面係合部と他方の上面被係合部のいずれかの係合により互いに連結固定でき、２以上を組み合わせることでより大きな弁当箱を構成することができる。そして、本体部の上方の開口を塞ぐ蓋体を本体部の開口に嵌めたときに、本体部の上縁の少なくとも一部が表出するように形成し、この表出した部分に上面係合部を形成したので、上面係合部と上面被係合部とが係合すると、本体部同士が係合することになり、蓋は係合に係らないので、蓋が開いて係合が解けるということがなく、上下の係合をより安定させることができる。
【０００８】
請求項２に記載の弁当箱は、本体部を上下面が底面となる正四角柱とすることで、側面の長方形がすべて合同となるので、第一側面係合部と第二側面係合部、第一側面被係合と第二側面被係合部を同じにすることで、例えば、第一側面係合部と第二側面被係合部を組み合わせた場合でも向かい合う面同士は完全に重なるように連結することができる。即ち、側面に関して連結の自由度を高くすることができる。
請求項３に記載の発明は、上面係合部と上面被係合部とを上面に垂直な方向の移動により係脱可能に形成しているので、上面に平行な移動により係脱可能に形成する場合に比較して、特に側面方向に関して２列２行以上に組み合わせたもの同士を上下に連結する場合に、係合方向を考慮する必要がなく、上下方向に関して簡易に着脱を行うことができる。
請求項４に記載の発明は、かばんの形状等に合わせて、複数の形態に弁当箱同士を組み合わせることができる。
【図面の簡単な説明】
【０００９】
【図１】実施形態に係る弁当箱本体の上面側の斜視図である。
【図２】実施形態に係る弁当箱本体の図1の反対側から見た上面側の斜視図である。
【図３】（ａ）は実施形態に係る弁当箱の蓋の上面側の斜視図であり、（ｂ）は実施形態に係る弁当箱の蓋の下面側の斜視図である。
【図４】実施形態に係る弁当箱本体の下面側の斜視図である。
【図５】実施形態に係る弁当箱の第一の組み合わせ状態を示す斜視図である。
【図６】実施形態に係る弁当箱の第二の組み合わせ状態を示す斜視図である。
【図７】実施形態に係る弁当箱の第三の組み合わせ状態を示す斜視図である。
【図８】実施形態に係る弁当箱の第四の組み合わせ状態を示す斜視図である。
【発明を実施するための形態】
【００１０】
以下、本発明の実施の形態について、図面を参照しながら説明する。
図１に本実施形態に係る弁当箱Ｘの本体部１０の上面側の斜視図を示し、図２に弁当箱Ｘの図１の反対側から見た上面側の斜視図を示す。本体部１０は立方体の外形を有する上方に開口が形成される箱体である。
【００１１】
本体部１０には上部の開口を塞ぐ蓋体８０が嵌められる。図３（ａ）に弁当箱Ｘの蓋体８０の上面側の斜視図を示し、図３（ｂ）に蓋体８０の下面側の斜視図を示す。蓋体８０はポリエチレン等のシール性の高い軟質のプラスチックやエラストマー等により形成され、本体部１０の開口にきつく嵌る扁平な有底角柱状の封止部８１、封止部８１の上縁外側回りに形成される板状のフランジ部８２、リング状に形成されるフランジ部８２の一の角部内側に設けられる持ち手部８３とから形成される。フランジ部８２は本体部１０の上面の外縁に達せず、後述する上面係合にかからない大きさ、形状に形成される。
【００１２】
本体部１０の第一の側面１１には断面Ｌ字状の長尺部材２１、２２を上下に配し、上方側の長尺部材２１は溝が下方に向かい、下方側の長尺部材２２は溝が上方に向かうように形成した、側面第一係合部２０が設けられる。
本体部１０の第二の側面１２には、側面第一係合部２０と同じ形状の長尺部材３１、３２を側面第一係合部２０と同じように配置した第二係合部３０が設けられる。
【００１３】
本体部１０の第三の側面１３には、側面第一係合部２０の上下の溝に同時に嵌る大きさ及び厚さの板体４１が長尺部材２１、２２の厚さと同じかやや大きい高さをもって固定されることにより形成される側面第一被係合部４０が設けられる。側面第一被係合部４０の取り付け位置は、他の弁当箱Ｘの本体部１０の側面第一係合部２０に係合させたときに、向かい合う本体部１０の側面同士が重なるような位置に設定される。
本体部１０の第四の側面１４には、側面第一被係合部３０と同じ板体５１を側面第一被係合部３０と同じように固定した側面第二被係合部５０が設けられる。
【００１４】
本体部１０の上面１５の、四隅には四隅の角部を所定形状に切り欠いた上面係合部６０が設けられる。具体的には、上面係合部６０の四隅のそれぞれは四角柱の角部から四分円柱を切り取ったような形状を有する切り欠きにより形成される。
図４に本体部１０の下面側の斜視図を示す。本体部１０の下面１６の四隅には上面係合部６０に係合する上面被係合部７０が設けられる。上面被係合部７０は上面係合部６０を構成する四隅の切り欠きにきつく嵌る切り欠きが内側に形成された四本の突起からなる脚７１により形成される。上面被係合部７０は、他の弁当箱Ｘの本体部１０の上面係合部２０に係合させたときに、向かい合う本体部１０の上面と下面同士が重なるように形成される。また、脚７１の長さは、上面係合部６０の切り欠きの深さと蓋体８０のフランジ部８２の厚さを足した程度の長さに設定される。
【００１５】
次に、以上のような構成を有する弁当箱Ｘの使用方法について説明する。弁当箱Ｘは２以上組み合わせて用いる。まず、使用者は、各弁当箱Ｘの本体部１０に料理を入れて蓋８０を開口に装着する。なお、弁当箱Ｘを側面方向のみに組み合わせる場合は、本体部１０を組み合わせてから料理を入れるようにしてもよい。弁当箱Ｘに料理を詰めたら、使用目的に応じて好みの形状に弁当箱を組み合わせる。
組み合わせ方の例としては、図５に示すように側面第一係合部２０と側面第一被係合部４０同士のみを係合させて横に直線状に組み合わせることができる。なお、横に直線状に組み合わせる場合は、側面第一係合部２０と側面第二被係合部５０とを組み合わせても問題はない。次の例として、図６に示すように横に平面的に組み合わせてもよい。この場合は、側面第一係合部２０と側面第一被係合部４０同士を組み合わせると、側面第二係合部３０の溝が直線状に並び、側面第二被係合部５０も一列に並ぶので、これらを互いに連結していくことで平面状に組み合わせていくことができる。
【００１６】
さらに、図７に示すように縦に重ねて直線状に組み合わせることもできる。この場合は、上面係合部６０と上面被係合部７０同士を組み合わせていけばよい。直線状に組み合わせる場合は本体部１０の鉛直軸に対する回転方向は気にする必要はない。最後に、図８に示すように立体的に組み合わせることもできる。この場合、図６に示すように平面的に組み合わせたもの同士を上下に重ねるように組み合わせると、上下面同士の係合は上下方向の移動により行えるので簡易である。
このように本実施形態に係る弁当箱Ｘは任意の数を縦横いずれに方向にも組み合わせて所望の形状にすることができるので、運搬時等の自由度が高い。また、縦方向に組み立てる際に本体部１０同士が係合し、蓋体８０は係合に関わらないので、蓋８０が開いて係合が解けることがなく、また、たとえ係合が解けても蓋体８０は閉じているので中身がこぼれることを抑制することができる。
【００１７】
なお、上記実施形態では、側面第一係合部２０と側面第一被係合部４０と、側面第二係合部３０と側面第二被係合部５０とは、互いに対向した溝を係合部として、これの溝に嵌る板部分を被係合部とし、上面係合部６０と上面被係合部７０は、凸部を係合部とし、これに嵌る凹部を被係合部としているが、これらの係合構造は適宜変更可能が可能である。即ち、上面係合部６０と上面被係合部７０との係合も側面第一係合部２０と側面第一被係合部４０のように溝とこれに嵌る板部分としたり、側面第一係合部２０と側面第一被係合部４０との係合を凸部とこれに嵌る凹部としたりすることができる。さらに、係合構造としては、面ファスナーの係合部と被係合部、スナップボタンの凹部と凸部、フックとこれに引っ掛ける穴やリング、磁石とこれに吸着する磁石又は磁性体等種々の方法を採用することができる。
また、上記実施形態では、弁当箱Ｘ同士を組み合わせた状態のみを示しているが、さらに、紐や伸縮性のベルトを巻いたり、シートで包む等したりすると、係合が補強されさらに分離しにくくなり望ましい。
【符号の説明】
【００１８】
Ｘ  弁当箱
１０  本体部
２０  側面第一係合部
３０  側面第ニ係合部
４０  側面第一被係合部
５０  側面第二被係合部
６０  上面係合部
７０  上面被係合部
８０  蓋
【図１】
2015003014.tif 000003
【図２】
2015003014.tif 000004
【図３】
2015003014.tif 000005
【図４】
2015003014.tif 000006
【図５】
2015003014.tif 000007
【図６】
2015003014.tif 000008
【図７】
2015003014.tif 000009
【図８】
2015003014.tif 000010